(57)【特許請求の範囲】
【請求項１】
係止片が設けられた開口部を有するスタンド基台と、
上記スタンド基台上にチルト方向及びパン方向に移動可能に支軸され、上部に電子機器が搭載されると共に、上記スタンド基台に対向する係合部が設けられたスライダーと、
上記スタンド基台に一体化されたヒンジ部と、上記スライダーに対向される上面に設けられ、上記スライダーの上記係合部に嵌合して上記スライダーの動きを固定するストッパー凸部と、上記ヒンジ部と反対側の自由端側に設けられ、上記スタンド基台の上記係止片と係合されるロック爪と、を有し、上記スタンド基台の上記開口部に収納されると、上記ロック爪が上記スタンドの上記係止片と係合して開放不能となるストッパー部と、
を備えることを特徴とするスタンド固定機構。
【請求項２】
請求項１記載のスタンド固定機構において、
上記ストッパー部が上記スタンド基台の上記開口部に収納されると、上記ストッパー部の上面は、上記スタンド基台と同一平面となることを特徴とするスタンド固定機構。
【発明の詳細な説明】
【０００１】
【発明の属する技術分野】
本発明は、電子機器、例えばディスプレイ一体型のパーソナルコンピュータ（以下、ディスプレイ本体という）等のスタンド固定機構に関し、詳しくは、ディスプレイ本体の製造工程ラインにおいて、ディスプレイ本体の画質調整を行うときにディスプレイ本体のチルト方向及びパン方向の動きをストッパーを使用して固定できるようにしたものである。
【０００２】
【従来の技術】
図６にディスプレイ本体がチルト方向及びパン方向へ移動するのを防止するためのスタンド固定機構を示す。スタンド基台４１の中心には筒軸部４２が突設され、この筒軸部４２の左右に抜き孔４３，４３が形成されている。
【０００３】
スタンド基台４１上にはサークル状の受け部４４を有し、この受け部４４に底部が椀型形状を有するスライダー４５が載置されている。このスライダー４５は中心に開口した縦長状のガイド孔４６（図７参照）がスタンド基台４１の筒軸部４２に挿着されている。そして、筒軸部４２の上から止め部材４７が係合され、止め部材４７のねじ孔４７ａから筒軸部４２の中心に一体成形したボス４８のねじ孔４８ａにねじ４９を締め付けることによってスライダー４５がスタンド基台４１と止め部材４７とで挟み付けられた状態で保持される。また、止め部材４７には筒軸部４２の抜き孔４３，４３と対応する位置に係入孔５０，５０が形成されている。
【０００４】
上述したスライダー４５にはディスプレイ本体５１が搭載される。すなわち、ディスプレイ本体５１を搭載したスライダー４５はガイド孔４６の範囲、筒軸部４２にガイドされて図面の前後方向に移動可能となり、いわゆる、ディスプレイ本体５１をチルト方向に角度調整でき、また、スライダー４５はガイド孔４６が筒軸部４２を中心として回転移動可能となり、いわゆるディスプレイ本体５１をパン方向に角度調整できるようになっている。
【０００５】
ここで、スライダー４５はストッパー部材５２の挿着によってチルト方向及びパン方向の移動が不能にされている。ストッパー部材５２は一対の立設するアーム５３，５３の先端部に膨出状の係合片５４，５４を有し、ストッパー部材５２がスタンド基台４１の底面側から係合片５４，５４を筒軸部４２の抜き孔４３，，４３を通じ、止め部材４７の係入孔５０，５０に係入されて保持されている。この際、係合片５０，５０が図７に示すようにスライダー４５のガイド孔４６の縁部に形成した切欠凹部５５，５５に係合させることによって、スライダー４５をチルト方向及びパン方向への移動をロックしている。
【０００６】
ところで、上述したディスプレイ本体５１はスライダー４５上にセットされ、スタンド基台４１ごと製造ラインのパレット上に載せられた状態でディスプレイ本体５１の画質調整等の各種の検査が行われる。画質調整の検査ではディスプレイ本体はチルト方向及びパン方向にみだりに動かないようにするために、上述したストッパー部材５２により固定されるようになっている。画質調整の検査が終了したあと、パレットの下からシリンダーでストッパー部材５２が押し上げられることによって、係合片５４，５４がガイド孔の切欠凹部５５，５５から抜け出しスライダー４５のロックが解除される。そして、スライダーがチルト方向及びパン方向に移動可能状態にされてスタンド基台４１及びスライダー４５と共にディスプレイ本体は梱包され出荷される。
【０００７】
【発明が解決しようとする課題】
しかし、上述したスタンド固定機構では、ストッパー部材５２のロック解除をシリンダーを使用しているため、ロック解除のための設備コストが高価になるといった問題がある。また、ストッパー部材は別部材からなるので、ストッパー部材５２の在庫調整や管理等の費用と共に運送費が発生する。さらに、ストッパー部材５２の組付けコストがかかると共に、ストッパー部材５２のための成形金型も別に必要となる。
【０００８】
本発明は、上述したような課題を解消するためになされたもので、ストッパーをスタンド基台に一体化し、チルト及びパン動作するスライダーのストッパーの解除に特別な設備を必要とすることなく、しかも、ストッパーの在庫調整や管理等の費用が不要となるスタンド固定機構を得ることを目的とする。
【０００９】
【課題を解決するための手段】
上述の目的を達成するため、本発明によるスタンド固定機構は、係止片が設けられた開口部を有するスタンド基台と、スタンド基台上にチルト方向及びパン方向に移動可能に支軸され、上部に電子機器が搭載されると共に、スタンド基台に対向する係合部が設けられたスライダーと、スタンド基台に一体化されたヒンジ部と、スライダーに対向される上面に設けられ、スライダーの係合部に嵌合してスライダーの動きを固定するストッパー凸部と、ヒンジ部と反対側の自由端側に設けられ、スタンド基台の係止片と係合されるロック爪と、を有し、スタンド基台の開口部に収納されると、ロック爪がスタンドの係止片と係合して開放不能となるストッパー部と、を備えるようにしたものである。
【００１０】
これによれば、ストッパー部は上方へ回動することによって、ストッパー凸部がスライダーの係合部に嵌合し、スライダーのチルト及びパン方向への動きを固定することができる。また、ストッパー部を下方へ回動することによって、スライダーのチルト及びパン方向の固定が解除され、ストッパー部をスタンド基台に体裁よく収納することができる。
【００１１】
【発明の実施の形態】
以下、本発明によるスタンド固定機構の実施の形態の例を図面を参照して説明する。
【００１２】
図１は本発明によるスタンド固定機構の分離状態の斜視図、図２はスタンド固定機構が固定状態のディスプレイ本体のセット状態の外観図、図３はスタンド固定機構が固定状態の断面図、図４はスタンド固定機構が解除状態の断面図である。
【００１３】
まず、スタンド基台とスライダーの構成について説明する。
スタンド基台１は例えば、ＡＢＳ樹脂あるいはＰＳ樹脂（ポリスチレン）等の射出成形品であって、スタンド基台１にはサークル状のスライダー受け部２が設けられている。スタンド基台１の中心には段付き軸３が突設され、段付き軸３の中心にねじ孔４が形成されている。また、段付き軸３の外周側に半周状のパン回動規制用ストッパー５が形成され、このパン回動規制用ストッパー５の対向側にクリックピン６が形成されている。
【００１４】
スタンド基台１上のスライダー受け部２には底面が椀形のスライダー７が載置される。スライダー７もＡＢＳ樹脂あるいはＰＳ樹脂（ポリスチレン）等の射出成形品であって、スライダー７には椀形の底面７ａに縦長状のガイド溝孔８が開口され、このガイド溝孔８がスタンド基台１の段付き軸３に挿着されている。
【００１５】
段付き軸３にはスライダー７の上から段付き孔９ａを有する例えば、ＰＯＭ（ポリアセタール樹脂）製等の止め部材９が係合状態にされて挿着されると共に、止め部材９の裏面に設けた凸面部１０の左右のカット面１０ａ，１０ａがガイド溝孔８に係合状態にされている。また、凸面部１０にストッパー片１１が突出形成されている。止め部材９はその上からワッシャ付きねじ１２を段付き軸３のねじ孔４にねじ固定されている。これによって、スライダー７はスタンド基台１と止め部材９とによって挟み付けられ保持されている。また、止め部材９はガイド溝孔８の左右部分に形成されている壁面７ｂ，７ｂに係合し、みだりに回転しないように矩形状にされている。
【００１６】
このように構成したスタンド基台１及びスライダー７は、スライダー７がチルト方向及びパン方向に移動できるようになっている。すなわち、図５に示すようにスライダー７は、ガイド溝孔８が止め部材９のカット面１０ａ，１０ａにガイドされて前後方向、つまりガイド溝孔８の範囲、チルト方向への移動が可能となる。また、止め部材９と共にスライダー７が段付き軸３を中心として回転方向、つまりパン方向への移動が可能となる。従って、スライダー７上に図２に示したように搭載されたディスプレイ本体１３は、チルト方向とパン方向とにそれぞれ任意の角度位置に調整することができる。
【００１７】
尚、スライダー７のパン方向の移動範囲は止め部材１０のストッパー片１１がパン回動規制用ストッパー５に突き当たったとき、つまりスライダー７が左右方向に９０°回転状態で停止するようになっている。また、スライダー７が正面向きに位置しているとき、ストッパー片１１がクリックピン６に軽く係合して正面位置が保持されるようになっている。
【００１８】
次に、スライダー７のチルト方向及びパン方向の動きを固定するストッパーについて説明する。
【００１９】
ストッパー部を符号１４で示す。ストッパー部１４はスタンド基台１の受け部２に一体に成形したヒンジ部１５によって上下方向に回動可能に連接されている。ストッパー部１４の上面には角形のストッパー凸部１６が形成されていると共に、ストッパー部１４の自由端側の下面にロック爪１７が形成されている。
【００２０】
また、ストッパー部１４と対応するスタンド基台１面には、ストッパー部１４が収まる大きさの開口部１８が形成され、この開口部１８の開口端部にロック爪１７が係合される係止片１９が設けられている。
【００２１】
上述したストッパー部１４及び開口部１８は、スタンド基台１の射出成形によって同時に一体成形されるもので、ストッパー部１４の成形姿勢は図１に示したように上方へはね上げられた状態で成形される。
【００２２】
このようにストッパー部１４が一体成形されているスタンド基台１上にスライダー７がセットされることで、図３に示すようにストッパー部１４のストッパー凸部１６がスライダー７の底面に形成した係合孔２０に嵌合される。つまり、ストッパー凸部１６がスライダー７の係合孔２０に嵌合されることで、スライダー７はチルト方向及びパン方向に回動不能にされた状態となる。
【００２３】
すなわち、例えば製造工場においてスタンド基台１とスライダー７とが組み立てられた時点で、スライダー７が回動不能にされた状態となってメーカーに搬送される。そして、メーカーではディスプレイ本体１３の組立て工程において、固定状態のスライダー７にディスプレイ本体１３がセットされ、製造工程ラインでディスプレイ本体１３の画質調整の検査が行われる。
【００２４】
そして、ディスプレイ本体１３の画質調整検査の終了後にストッパー部１４を下方へ回動することで、ストッパー凸部１６がスライダー７の係合孔２０から離脱しスライダー７はチルト方向及びパン方向への回動が可能となる。また、ストッパー部１４は図４に示すように開口部１８内に収まり、ロック爪１７が開口部１８の係止片１９に係合されて収納状態となる。この際、収納状態のストッパー部１４はスタンド基台１と同一面上になり、スタンド基台１の外観上の体裁を損なうことはない。この後、スタンド基台１及びスライダー７と共にディスプレイ本体は梱包され出荷される。尚、収納状態のストッパー部１４は以後、使用することもないので、開放不能にいわゆる嵌め殺し状態にされる。
【００２５】
上述したように本発明によるスタンド固定機構は、ストッパー部１４がスタンド基台１に一体成形されていることで、ストッパー部１４の在庫調整や管理等の費用が一切不要となり、また、ストッパー部の組付けコストも不要となると共に、ストッパー部１４のための成形金型設備費も必要としないといった利点がある。さらに、ストッパー部１４によるスライダー７の固定を解除する場合に、従来のようなシリンダー等の設備を必要とすることなく手作業で簡単に解除することができる。
【００２６】
本発明は上述しかつ図面に示した実施の形態の例に限定されるものでなく、その要旨を逸脱しない範囲内で種々の変形実施が可能である。
【００２７】
本例では、スライダー７の固定の仕方として、ストッパー部１４のストッパー凸部１６をスライダー７の係合孔２０に嵌合するようにした場合について説明したが、係合孔２０に替わって凹部であってもよい。
【００２８】
また、本発明ではスライダー７上にディスプレイ一体型のパーソナルコンピュータのディスプレイ本体部１３がセットされた場合について説明したが、その他、モニタ画面一体型のパーソナルコンピュータのモニタ本体等の電子機器等のスタンド固定機構にも広く適用可能である。
【００２９】
【発明の効果】
以上説明したように本発明によるスタンド固定機構は、スタンド基台に一体化された上下に回動可能のストッパー部に設けたストッパー凸部によりスライダーのチルト及びパン方向の動きを固定するようにし、また、スライダーの固定を解除したときスタンド基台に収納するようにしたので、ストッパー部の在庫調整や管理等の費用が一切不要となり、ストッパー部の組付けコストも不要となると共に、ストッパー部のための成形金型設備費も必要としないといった効果がある。また、スライダーの固定を解除する場合に、従来のようなシリンダー等の設備を必要とすることなく手作業で簡単に解除することができる。
【００３０】
また、ストッパー部をスライダー解除位置にしたとき、スタンド基台と同一平面上に収納されるようにしたので、スタンド基台の外観上の体裁が損なうこともなく商品性を高めることができる。
【図面の簡単な説明】
【図１】本発明によるスタンド固定機構の分離状態の斜視図である。
【図２】ディスプレイ本体が搭載されたスタンド固定機構の外観図である。
【図３】スタンド固定機構の固定状態の断面図である。
【図４】スタンド固定機構の解除状態の断面図である。
【図５】スライダーのチルト及びパン動作の機構部の説明図である。
【図６】従来のスタンド固定機構の断面図である。
【図７】同じくチルト及びパン動作の固定の様子の斜視図である。
【符号の説明】
１…スタンド基台、２…受け部、３…段付き軸、７…スライダー、８…ガイド溝孔、９…止め部材、９ａ…段付き孔、１２…ワッシャ付きねじ、１３…パソコン本体、１４…ストッパー部、１５…ヒンジ部、１６…ストッパー凸部、１７…ロック爪、１８…開口部、１９…係止片、２０…係合孔
【図１】
0004314674.tif 000002
【図２】
0004314674.tif 000003
【図３】
0004314674.tif 000004
【図４】
0004314674.tif 000005
【図５】
0004314674.tif 000006
【図６】
0004314674.tif 000007
【図７】
0004314674.tif 000008